(57)【要約】  巻回装置は、結束紐（Ｓ）を保持した状態で、周方向に送られる環状のビードリング（Ｂ）の内側及び外側を通って回転し、それにより、結束紐（Ｓ）をビードリング（Ｂ）に巻回する回転体（２４）を備える。回転体（２４）には、結束紐（Ｓ）をビードリング（Ｂ）に弾性的に押圧する押圧部材（２８）が設けられている。
2013179420.tif 000002
【特許請求の範囲】
【請求項１】
結束紐を保持した状態で、周方向に送られる環状のビードリングの内側及び外側を通って回転し、それにより、結束紐をビードリングに巻回する回転体を備え、その回転体には、前記結束紐をビードリングに弾性的に押圧する押圧部材が設けられていることを特徴とする巻回装置。
【請求項２】
前記回転体を支持する装置フレームに設けられて前記結束紐の始端を解放可能に把持する把持部材と、その把持部材よりもビードリングの送り方向の下流側の位置に結束紐を規制するための規制ローラとをさらに備えることを特徴とする請求項１に記載の巻回装置。
【発明の詳細な説明】
【技術分野】
【０００１】
この発明は、ワイヤを巻取ってビードリングを製造する際に、ワイヤの巻始め端部及び巻終り端部を結束するために、ビードリングに結束紐を巻回するようにした巻回装置に関するものである。
【背景技術】
【０００２】
従来、この種の巻回装置としては、例えば特許文献１に開示されるような構成が提案されている。この従来構成の巻回装置は、ワイヤの巻取りにより形成された環状のビードリングを周方向に送るための送りローラと、ビードリングの内側及び外側を通って回転する回転体とを備えている。回転体上には結束紐を誘導するための案内ローラが設けられている。回転体の側方には結束紐の始端を解放可能に保持するための保持部が設けられている。保持部は、回転体の回転中心付近の位置に接近及び離間可能である。【０００３】
そして、結束紐の始端を保持した保持部を回転体の回転中心付近の位置に接近して配置させた状態で、回転体を回転させるとともに、ビードリングを送りローラにより周方向に送る。これにより、結束紐が回転体上の案内ローラにより案内誘導されてビードリングに巻回され、ワイヤの巻始め端部及び巻終り端部が巻戻らないように結束される。
【先行技術文献】
【特許文献】
【０００４】
【特許文献１】特開２０００−３５５０５６号公報
【発明の概要】
【発明が解決しようとする課題】
【０００５】
ところが、この従来の巻回装置においては、回転体の回転に伴う案内ローラによる案内誘導のみにより、結束紐がビードリングに巻回されるようになっている。このため、ビードリングの断面形状が四角形等の多角形である場合には、結束紐がビードリングに密着した状態で巻回されない。すなわち、ビードリング断面における互いに隣接する隅角部間の辺部においては結束紐が湾曲してビードリングに密着しない。このため、ワイヤの巻始め端部及び巻終り端部を緩みなく固く結束することができないおそれがある。【０００６】
この発明は、このような従来の技術に存在する問題点に着目してなされたものである。その目的は、ビードリングの断面形状が多角形である場合でも、結束紐をビードリングに密着した状態で巻回することができて、ワイヤの巻始め端部及び巻終り端部を緩みなく固く結束することができる巻回装置を提供することにある。
【課題を解決するための手段】
【０００７】
上記の目的を達成するために、この発明は、結束紐を保持した状態で、周方向に送られる環状のビードリングの内側及び外側を通って回転し、それにより、結束紐をビードリングに巻回する回転体を備え、その回転体には、前記結束紐をビードリングに対して弾性的に押圧する押圧部材が設けられていることを特徴とする巻回装置を提供する。【０００８】
従って、この発明の巻回装置においては、回転体の回転に伴って、結束紐が押圧部材によりビードリングに押圧されながら巻回される。このため、ビードリングの断面形状が四角形等の多角形である場合でも、結束紐をビードリングに対して離れることなく密着した状態で巻回することができる。よって、ワイヤの巻始め端部及び巻終り端部を緩みなく固く結束することができる。
【発明の効果】
【０００９】
以上のように、この発明によれば、ビードリングの断面形状が多角形である場合でも、結束紐をビードリングに密着した状態で巻回することができて、ワイヤの巻始め端部及び巻終り端部を緩みなく固く結束することができるという効果を発揮する。
【図面の簡単な説明】
【００１０】
【図１】この発明の一実施形態の巻回装置の要部正面図。
【図２】図１の巻回装置の要部側面図。
【図３】図１の３−３線における部分断面図。
【図４】図１の４−４線における部分断面図。
【図５】ビードリングに結束紐を巻回する動作を説明するための図１の巻回装置の要部正面図。
【図６】結束紐の巻回時において押圧部材により結束紐を押圧する状態を説明するための図１の巻回装置の部分拡大正面図。
【図７】結束紐の巻回時において押圧部材により結束紐を押圧する状態を説明するための図１の巻回装置の部分拡大正面図。
【発明を実施するための形態】
【００１１】
以下に、この発明を具体化した巻回装置の一実施形態を図１〜図７に従って説明する。
【００１２】
図２及び図５に示すように、ビードリングＢは、ワイヤＷを複数列及び複数段に整列するように巻き取ることにより、環状でかつ断面略四角形状等の断面多角形状に形成されている。
【００１３】
図２に示すように、装置フレーム２１には、ビードリングＢを周方向に送るための送りローラ２２，２３が支持されている。ビードリングＢは、送りローラ２２，２３間にクランプされた状態で、送りローラ２２，２３の回転に従って図２の反時計方向に送られる。
【００１４】
装置フレーム２１には、ビードリングＢに結束紐Ｓを螺旋状に巻回するための円板状の回転体２４が支持されている。回転体２４は、自身の中心周りを一方向に回転可能である。回転体２４は、回転体２４の外周に接触する複数の支持ローラ（図示しない）によって支持されている。図１に示すように、回転体２４の側面にはリング状の歯車２４ｄが固定されており、この歯車２４ｄに噛合する歯車（図示しない）を介して回転体２４に回転力が付与される。
【００１５】
回転体２４には、回転体２４の径方向に延びる挿入溝２４ａが設けられている。挿入溝２４ａにビードリングＢを挿入させることにより、回転体２４はビードリングＢを跨ぐようにして配置される。挿入溝２４ａは、回転体２４の外周部から回転体２４の中心を越える位置まで延びている。従って、回転体２４の中心は挿入溝２４ａ内に位置しており、回転体２４はビードリングＢの内側及び外側を通って自身の中心周りを一方向に回転する。換言すれば、回転体２４は、ビードリングＢの送り方向に沿って延びる軸線を中心に一方向に回転する。図５に示すように、歯車２４ｄとは反対側の回転体２４の側面には、挿入溝２４ａに連なるほぼＨ字形の凹部２４ｂが形成されている。
【００１６】
図２に示すように、装置フレーム２１には一対の把持片２５ａよりなる把持部材２５が支持されている。把持部材２５は、回転体２４よりもビードリングＢの送り方向の上流側でかつ回転体２４及びビードリングＢの近傍に設けられている。把持部材２５は結束紐Ｓの始端を解放可能に把持する。
【００１７】
図１に示すように、回転体２４の挿入溝２４ａ内には、板バネ材よりなる押圧部材２８が配置されている。押圧部材２８は、挿入溝２４ａの延長方向（図１の左右方向）に移動可能である。図２に示すように、押圧部材２８は、ビードリングＢの送り方向に関して把持部材２５とは異なる位置、より具体的には、把持部材２５よりもビードリングＢの送り方向の下流側（図２において把持部材２５よりも左側）に設けられている。図３及び図４に示すように、押圧部材２８は、ビードリングＢに接触する板状の押圧部２８ａを有している。押圧部２８ａの両側には支持部２８ｂが突設されている。支持部２８ｂは、回転体２４の凹部２４ｂ内に位置しており、凹部２４ｂ内を移動可能である。
【００１８】
凹部２４ｂ内には一対のコイルバネ２９が配置されている。コイルバネ２９は、押圧部材２８の支持部２８ｂに接触して押圧部２８ａをビードリングＢに向けて移動付勢する。そのため、押圧部材２８は、回転体２４の回転に伴ってビードリングＢに巻回された結束紐ＳをビードリングＢに弾性的に押圧する。なお、回転体２４の凹部２４ｂに押圧部材２８及びコイルバネ２９を収容させた状態で、凹部２４ｂの開口を覆うように、回転体２４の側面には蓋体（図示しない）がネジを使って取り付けられている。
【００１９】
図１に示すように、回転体２４の側面には、ビードリングＢの周囲において結束紐Ｓを周回させるための３つの規制ローラ３３が軸３４を介して支持されている。各ローラ３３には、把持部材２５よりもビードリングＢの送り方向の下流側の位置に結束紐Ｓを規制するための小径部３３ａが形成されている。
【００２０】
次に、前記のように構成された巻回装置の作用を説明する。
【００２１】
この巻回装置を用いてビードリングＢに結束紐Ｓを巻回する際には、図示しない供給源から結束紐Ｓが緊張状態を維持しながら巻回装置に供給される。図２及び図５に示すように、結束紐Ｓの始端は、把持部材２５によって把持される。従って、結束紐Ｓの始端は、図２に示すように回転体２４よりもビードリングＢの送り方向の上流側に位置している。そして、ワイヤＷの巻き取りにより形成されたビードリングＢを回転体２４の挿入溝２４ａ内に挿入する。このとき、図２に示すように、ビードリングＢにおけるワイヤＷの巻始め端部Ｗａ及び巻終り端部Ｗｂを含んだ部分の両側を送りローラ２２，２３の間でクランプする。
【００２２】
この状態で、回転体２４を図５の時計方向に回転させる。また同時に、送りローラ２２，２３を回転させることによりビードリングＢを図２の反時計方向に送る。これにより、結束紐Ｓは、規制ローラ３３の小径部３３ａにより位置規制された状態、より具体的には、把持部材２５により把持されている結束紐Ｓの始端よりもビードリングＢの送り方向の下流側に位置するように規制された状態で、ビードリングＢに巻回され始める。従って、ビードリングＢに対する結束紐Ｓの巻回は、把持部材２５よりもビードリングＢの送り方向の下流側の位置から開始される。そして、回転体２４をさらに回転させることにより、結束紐Ｓは緊張状態でビードリングＢに巻回されていく。
【００２３】
このとき、図６及び図７に示すように、押圧部材２８は、バネ２９の付勢を受けることにより、小径部３３ａによる結束紐Ｓの前記規制位置よりもビードリングＢの送り方向のわずかに下流側の位置おいて結束紐ＳをビードリングＢに押圧する。そしてその状態で、押圧部材２８は、回転体２４の回転に伴ってビードリングＢの周りを回転する。このため、結束紐ＳはビードリングＢに対して離れることなく密着した状態で巻回される。
【００２４】
こうして回転体２４を所定の数（１回転程度）だけ回転させると、結束紐Ｓの始端が把持部材２５から外れる。すると、把持部材２５から外れた結束紐Ｓの始端Ｓａは、ビードリングＢの送り移動及び回転体２４の回転に伴って、図２中に鎖線で示すように、ビードリングＢ上で結束紐Ｓの内側に巻き込まれる。回転体２４の回転（例えば１０回転）に伴って結束紐Ｓの供給長さが所定値に達した時点で、図示しないカッターにより結束紐Ｓを切断する。
【００２５】
その後、回転体２４をさらに回転させることにより、結束紐Ｓが押圧部材２８によって押圧されながら切断端までビードリングＢに巻回される。これにより、ワイヤＷの巻始め端部Ｗａ及び巻終り端部Ｗｂが跳ね出したり動いたりしないように結束されることになる。この状態で、回転体２４の回転を停止し、ビードリングＢの送り移動も停止することにより、結束紐Ｓの巻回動作は終了する。その後、送りローラ２２，２３によるビードリングＢのクランプを解除することによって、ビードリングＢは次工程に送られる。
【００２６】
従って、この実施形態によれば、以下のような効果を得ることができる。
【００２７】
（１）  この実施形態の巻回装置は、結束紐Ｓを保持した状態で、周方向に送られる環状のビードリングＢの内側及び外側を通って回転し、それにより、結束紐ＳをビードリングＢに巻回する回転体２４を備えている。回転体２４には、結束紐ＳをビードリングＢに弾性的に押圧する押圧部材２８が設けられている。このため、回転体２４の回転時には結束紐Ｓが押圧部材２８によりビードリングＢに押圧されながら巻回される。よって、ビードリングＢの断面形状が四角形等の多角形状である場合でも、結束紐ＳをビードリングＢに対して離れることなく密着した状態で巻回することができて、ワイヤＷの巻始め端部Ｗａ及び巻終り端部Ｗｂを隙間なくかつ緩みなく固く結束することができる。
【００２８】
（２）  この巻回装置の把持部材２５は、ローラ３３による結束紐Ｓの案内位置よりもビードリングＢの送り方向の上流側に配置されている。従って、把持部材２５によって把持された結束紐Ｓの始端よりもビードリングＢの送り方向の下流側の位置で結束紐Ｓの巻回は行なわれる。このため、巻回動作の途中で把持部材２５から外れた結束紐Ｓの始端は、押圧部材２８によりビードリングＢに押圧されることにより、ビードリングＢ上で結束紐Ｓの内側に巻き込まれることになる。よって、結束紐Ｓの始端の巻戻りを防止することができる。
【００２９】
（変更例）
なお、この実施形態は、次のように変更して具体化することも可能である。
【００３０】
・  規制ローラ３３の個数を変更してもよい。
【００３１】
・  ビードリングＢの径に応じて送りローラ２２，２３の位置を調節する機構を設けてもよい。
【符号の説明】
【００３２】
２１…装置フレーム、２４…回転体、２５…把持部材、２８…押圧部材、２８ａ…押圧部、Ｂ…ビードリング、Ｗ…ワイヤ、Ｓ…結束紐。
【図１】
2013179420.tif 000003
【図２】
2013179420.tif 000004
【図３】
2013179420.tif 000005
【図４】
2013179420.tif 000006
【図５】
2013179420.tif 000007
【図６】
2013179420.tif 000008
【図７】
2013179420.tif 000009
【国際調査報告】
2013179420.tif 000010
2013179420.tif 000011
2013179420.tif 000012
2013179420.tif 000013